(57)【要約】【課題】インクの貯蔵及び供給効率、そして使用安定性を向上させた溶液貯蔵タンク及びこれを備えるインクジェットプリンターヘッドアセンブリを提供する【解決手段】本発明はインクジェットプリンターヘッドアセンブリに関し、本発明によるインクジェットプリンターヘッドアセンブリは、溶液が貯蔵される内部空間を有する貯蔵部、前記貯蔵部に流体を供給する流体供給部、そして前記貯蔵部に備えられる、そして前記流体供給部が前記貯蔵部に供給する前記流体によって駆動されて前記溶液を撹拌させる撹拌部を含む。【選択図】図１
2012051358.tif 000002
【特許請求の範囲】
【請求項１】
溶液が貯蔵される内部空間を有する貯蔵部；
前記貯蔵部に流体を供給する流体供給部；及び
前記貯蔵部に備えられる、そして前記流体供給部が前記貯蔵部に供給する前記流体によって駆動されて前記溶液を撹拌させる撹拌部を含む溶液貯蔵タンク。
【請求項２】
前記撹拌部は、
前記貯蔵部内に左右に水平に配置される回転軸；及び
前記回転軸から放射状に延長され、前記貯蔵部に供給される前記流体と衝突される面を有するブレードを含む請求項１に記載の溶液貯蔵タンク。
【請求項３】
前記撹拌部は、
前記貯蔵部内に上下に垂直に配置される回転軸；及び
前記回転軸から側方向に延長され、前記貯蔵部に供給される前記流体と斜めに衝突される面を有するブレードを含む請求項１に記載の溶液貯蔵タンク。
【請求項４】
前記流体供給部は、
前記貯蔵部にパージガスを供給するパージガス供給ライン；及び
前記貯蔵部に前記溶液を供給する溶液供給ラインを含み、
前記パージガス供給ラインは、前記回転軸を中心に前記回転軸の一側に位置される前記ブレードに対向されるように前記パージガスを供給し、
前記溶液供給ラインは、前記回転軸の他側に位置される前記ブレードに対向されるように前記溶液を供給する請求項１に記載の溶液貯蔵タンク。
【請求項５】
前記流体供給部は、
前記貯蔵部にパージガスを供給するパージガス供給ライン；及び
前記貯蔵部に前記溶液を供給する溶液供給ラインを含み、
前記パージガス供給ライン及び前記溶液供給ラインは、前記回転軸を中心に前記回転軸の一側に位置される前記ブレードに対向されるように前記パージガス及び前記溶液を夫々供給する請求項１に記載の溶液貯蔵タンク。
【請求項６】
前記撹拌部は無振動方式で駆動される請求項１に記載の溶液貯蔵タンク。
【請求項７】
印刷対象物に対してインクを吐出させるノズルパッケージ；及び
前記ノズルパッケージに結合され、前記ノズルパッケージに前記インクを供給させるインクタンクパッケージを含み、
前記インクタンクパッケージは、
前記インクを貯蔵させる内部空間を有する貯蔵部；
前記貯蔵部に前記パージガス及び前記インクを供給する流体供給部；及び
前記貯蔵部に備えられる、そして、前記流体供給部が前記貯蔵部に供給する前記パージガス及び前記インクのうち少なくとも何れか一つによって駆動されて前記インクを撹拌させる撹拌部を含むインクジェットプリンターヘッドアセンブリ。
【請求項８】
前記インクを収容するリザーバを定義する多層プレート構造体；
前記多層プレート構造体内の供給流路を膨脹させて前記インクに流動圧を提供するアクチュエーター；及び
前記多層プレート構造体に結合され、前記リザーバに貯蔵された前記インクの供給を受けて、印刷対象物に吐出させるノズルプレートをさらに含む請求項７に記載のインクジェットプリンターヘッドアセンブリ。
【請求項９】
前記撹拌部は、
前記貯蔵部内に左右に水平に配置される回転軸；及び
前記回転軸から放射状に延長され、前記貯蔵部に供給される前記パージガス及び前記インクのうち少なくとも何れか一つと衝突される面を有するブレードを含む請求項７に記載のインクジェットプリンターヘッドアセンブリ。
【請求項１０】
前記撹拌部は、
前記貯蔵部内に上下に垂直に配置される回転軸；及び
前記回転軸から側方向に延長され、前記貯蔵部に供給される前記パージガス及び前記インクの何れか一つと斜めに衝突される面を有するブレードを含む請求項７に記載のインクジェットプリンターヘッドアセンブリ。
【請求項１１】
前記流体供給部は、
前記貯蔵部に前記貯蔵部内の圧力を調節するパージガスを供給するパージガス供給ライン；及び
前記貯蔵部に前記インクを供給する溶液供給ラインを含み、
前記パージガス供給ラインは、前記回転軸を中心に前記回転軸の一側に位置される前記ブレードに対向されるように前記パージガスを供給し、
前記溶液供給ラインは、前記回転軸の他側に位置される前記ブレードに対向されるように前記インクを供給する請求項７に記載のインクジェットプリンターヘッドアセンブリ。
【請求項１２】
前記流体供給部は、
前記貯蔵部に前記貯蔵部内の圧力を調節するパージガスを供給するパージガス供給ライン；及び
前記貯蔵部に前記インクを供給する溶液供給ラインを含み、
前記パージガス供給ライン及び前記溶液供給ラインは、前記回転軸を中心に前記回転軸の一側に位置される前記ブレードに対向されるように前記パージガス及び前記インクを夫々供給する請求項７に記載のインクジェットプリンターヘッドアセンブリ。
【発明の詳細な説明】
【技術分野】
【０００１】
本発明は溶液貯蔵タンク及びこれを備えるインクジェットプリンターヘッドアセンブリに関し、より詳細には、インクの貯蔵及び供給効率、そして使用安定性を向上させた溶液貯蔵タンク及びこれを備えるインクジェットプリンターヘッドアセンブリに関する。
【背景技術】
【０００２】
現在、インクジェットプリンターを利用してイメージを具現する技術が広く用いられている。最近は、カラーフィルター（ｃｏｌｏｒ  ｆｉｌｔｅｒ）、太陽電池（ｓｏｌａｒ  ｃｅｌｌ  ｂａｔｔｅｒｙ）、有機電界発光表示素子（ＯＬＥＤ）、そして印刷回路基板（Ｐｒｉｎｔｅｄ  Ｃｉｒｃｕｉｔ  Ｂｏａｒｄ：ＰＣＢ）の製造工程にインクジェットプリンター技術を適用するための研究が行われている。
【０００３】
現在、代表的に用いられるインクジェットプリンターは、インクを吐出させるインクジェットプリンターヘッドアセンブリを備える。前記インクジェットプリンターヘッドアセンブリは、大きくインクタンクパッケージ及び前記インクタンクパッケージに結合されるノズルパッケージを備える。前記インクタンクパッケージは、インクを貯蔵する貯蔵タンク及び前記貯蔵タンクに前記インクを供給する流体供給部を含む。そして、前記ノズルパッケージは、前記インクタンクパッケージから供給されたインクを最終的に印刷対象物に吐出させるノズルプレートを有する。
ここで、上述のような貯蔵タンクにはインクが持続的に貯蔵されるため、前記インクタンク内のインクが沈澱されるなどの現象が発生し、前記インクの吐出効率が低下するという問題点がある。これを解決するためには、前記インクタンク内のインクを撹拌させることができる装置が必要であるが、一般的に前記インクジェットプリンターは振動に非常に敏感であるため、撹拌装置のような振動を発生させる構成を備えることに制約が大きい。
【先行技術文献】
【特許文献】
【０００４】
【特許文献１】韓国特許出願公開第１０−２０００−００３８７０７号
【発明の概要】
【発明が解決しようとする課題】
【０００５】
本発明が解決しようとする課題は、無振動方式で溶液を撹拌する溶液貯蔵タンク及びこれを備えるインクジェットプリンターヘッドアセンブリを提供することである。
【０００６】
本発明が解決しようとする課題は、溶液の撹拌効率を向上させた溶液貯蔵タンク及びこれを備えるインクジェットプリンターヘッドアセンブリを提供することである。
【課題を解決するための手段】
【０００７】
本発明による溶液貯蔵タンクは、溶液が貯蔵される内部空間を有する貯蔵部、前記貯蔵部に流体を供給する流体供給部、そして前記貯蔵部に備えられる、そして前記流体供給部が前記貯蔵部に供給する前記流体によって駆動されて前記溶液を撹拌させる撹拌部を含む。
【０００８】
本発明の実施形態によると、前記撹拌部は、前記貯蔵部内に左右に水平に配置される回転軸及び前記回転軸から放射状に延長され、前記貯蔵部に供給される前記流体と衝突される面を有するブレードを含むことができる。
【０００９】
本発明の実施形態によると、前記撹拌部は、前記貯蔵部内に上下に垂直に配置される回転軸及び前記回転軸から側方向に延長され、前記貯蔵部に供給される前記流体と斜めに衝突される面を有するブレードを含むことができる。
【００１０】
本発明の実施形態によると、前記流体供給部は、前記貯蔵部にパージガス（ｐｕｒｇｅ  ｇａｓ）を供給するパージガス供給ライン及び前記貯蔵部に前記溶液を供給する溶液供給ラインを含み、前記パージガス供給ラインは、前記回転軸を中心に前記回転軸の一側に位置される前記ブレードに対向されるように前記パージガスを供給し、前記溶液供給ラインは、前記回転軸の他側に位置される前記ブレードに対向されるように前記溶液を供給することができる。
【００１１】
本発明の実施形態によると、前記流体供給部は、前記貯蔵部にパージガスを供給するパージガス供給ライン及び前記貯蔵部に前記溶液を供給する溶液供給ラインを含み、前記パージガス供給ライン及び前記溶液供給ラインは、前記回転軸を中心に前記回転軸の一側に位置される前記ブレードに対向されるように前記パージガス及び前記溶液を夫々供給することができる。
【００１２】
本発明の実施形態によると、前記撹拌部は無振動方式で駆動されることができる。
【００１３】
本発明によるインクジェットプリンターヘッドアセンブリは、印刷対象物に対してインクを吐出させるノズルパッケージ及び前記ノズルパッケージに結合され、前記ノズルパッケージに前記インクを供給させるインクタンクパッケージを含み、前記インクタンクパッケージは、前記インクを貯蔵させる内部空間を有する貯蔵部、前記貯蔵部に前記パージガス（ｐｕｒｇｅ  ｇａｓ）及び前記インクを供給する流体供給部、そして前記貯蔵部に備えられる、そして、前記流体供給部が前記貯蔵部に供給する前記パージガス及び前記インクのうち少なくとも何れか一つによって駆動されて前記インクを撹拌させる撹拌部を含む。
【００１４】
本発明の実施形態によると、前記インクを収容するリザーバ（ｒｅｓｅｒｖｏｉｒ）を定義する多層プレート構造体、前記多層プレート構造体内の供給流路を膨脹させて前記インクに流動圧を提供するアクチュエーター、そして前記多層プレート構造体に結合され、前記リザーバに貯蔵された前記インクの供給を受けて印刷対象物に吐出させるノズルプレートをさらに含むことができる。
【発明の効果】
【００１５】
本発明による溶液貯蔵タンクは、溶液を貯蔵する貯蔵部及び貯蔵部内の溶液を撹拌させる撹拌部、そして前記貯蔵部に流体を供給する流体供給部を含み、前記撹拌部は前記流体供給部が供給する前記流体の供給によって駆動される構造を有することができる。これにより、本発明による溶液貯蔵タンクは、前記流体供給部によって前記貯蔵部内の溶液が撹拌されるため、モーターのような別途の駆動装置がなくても前記溶液を撹拌させることができる。
【００１６】
本発明によるインクジェットプリンターヘッドアセンブリは、ノズルパッケージ及び前記ノズルパッケージにインクを供給するインクタンクパッケージを備え、前記インクタンクパッケージは、インクを貯蔵する貯蔵部にパージガス及びインクを供給する流体供給部によって、前記貯蔵部内のインクを撹拌させる撹拌部を駆動させる構造を有することができる。これにより、本発明によるインクジェットプリンターヘッドアセンブリは、モーターのような振動発生源がなくても無振動方式で前記貯蔵部内のインクを撹拌させることができるため、前記インクの効率的な撹拌を遂行することができるとともに、前記インクの撹拌動作による前記インクの吐出精密性が低下することを防止することができる。
【図面の簡単な説明】
【００１７】
【図１】本発明の実施形態によるインクジェットプリンターヘッドアセンブリを示す図面である。
【図２】図１に図示された溶液貯蔵タンクの撹拌原理を説明するための図面である。
【図３】図１に図示された溶液貯蔵タンクの撹拌原理を説明するための図面である。
【図４】本発明の一変形例によるインクタンクパッケージを示す図面である。
【図５】本発明の他の変形例によるインクタンクパッケージを示す図面である。
【発明を実施するための形態】
【００１８】
本発明の利点及び特徴、そしてそれらを果たす方法は、添付図面とともに詳細に後述される実施形態を参照すると明確になるであろう。しかし、本発明は以下で開示される実施形態に限定されず、相異なる多様な形態で具現されることができる。本実施形態は、本発明の開示が完全になるようにするとともに、本発明が属する技術分野にて通常の知識を有する者に発明の範疇を完全に伝達するために提供されることができる。明細書全体において、同一参照符号は同一構成要素を示す。
【００１９】
本明細書で用いられる用語は、実施形態を説明するためのものであり、本発明を限定しようとするものではない。本明細書で、単数型は文句で特別に言及しない限り複数型も含む。明細書で用いられる「含む（ｃｏｍｐｒｉｓｅ）」及び／または「含んでいる（ｃｏｍｐｒｉｓｉｎｇ）」は言及された構成要素、段階、動作及び／または素子は一つ以上の他の構成要素、段階、動作及び／または素子の存在または追加を排除しない。
【００２０】
以下、添付された図面を参照して、本発明による溶液貯蔵タンク及びこれを備えるインクジェットプリンターヘッドアセンブリに対して具体的に説明する。
【００２１】
図１は本発明の実施形態によるインクジェットプリンターヘッドアセンブリを示す図面である。図１を参照すると、本発明の実施形態によるインクジェットプリンターヘッドアセンブリ（ｉｎｋｊｅｔ  ｐｒｉｎｔｅｒ  ｈｅａｄ  ａｓｓｅｍｂｌｙ）１００は、ノズルパッケージ１１０及び前記ノズルパッケージ１１０に結合されたインクタンクパッケージ１２０を含むことができる。
【００２２】
前記ノズルパッケージ１１０は、多層プレート構造体１１２、アクチュエーター１１４、そしてノズルプレート１１６を含むことができる。前記多層プレート構造体１１２は複数のプレートが積層された構造を有することができる。前記多層プレート構造体１１２にはインク２０を収容するリザーバ（ｒｅｓｅｒｖｏｉｒ）１１３を定義する内部空間が提供されることができる。
【００２３】
前記アクチュエーター１１４は前記多層プレート構造体１１２の上部に配置されることができる。前記アクチュエーター１１４は電極及び前記電極の間に配置された圧電体からなった駆動手段であることができる。上述のような構造のアクチュエーター１１４は、前記インク２０の供給時、前記電極に所定の電圧が印加されて、これにより、前記圧電体が作動して前記多層プレート構造体１１２内の供給流路を膨脹させることにより、前記インク２０に流動圧を提供することができる。
【００２４】
前記ノズルプレート１１６は前記多層プレート構造体１１２の下部に結合されることができる。前記ノズルプレート１１６は、前記リザーバ１１３に貯蔵された前記インク２０の供給を受けて、印刷対象物（未図示）に吐出させる吐出口１１７を有することができる。
【００２５】
前記インクタンクパッケージ１２０は、前記ノズルパッケージ１１０に前記インク２０を供給するとともに、前記インク２０を撹拌させるように構成されることができる。このために、前記インクタンクパッケージ１２０は、所定の溶液を貯蔵する少なくとも一つの溶液貯蔵タンク（ｓｏｌｕｔｉｏｎ  ｓｔｏｒａｇｅ  ｔａｎｋ）を備え、前記溶液貯蔵タンクは前記溶液を撹拌させることができるように構成されることができる。ここで、前記溶液貯蔵タンクが貯蔵及び待機させる溶液は、インクジェットプリンティング技術のためのインク２０であることができる。
【００２６】
前記溶液貯蔵タンクは、貯蔵部１２２、流体供給部１２４、そして撹拌部１２６を含むことができる。
【００２７】
前記貯蔵部１２２は、前記流体供給部１２４に供給された前記インク２０を収容し、待機（ｓｔａｎｄ−ｂｙ）させる貯蔵空間１２３を有することができる。前記貯蔵部１２２は略六面体または円筒状を有することができる。
【００２８】
前記流体供給部１２４は前記貯蔵部１２２に所定の流体を供給することができる。一例として、前記流体供給部１２４は、パージガス供給ライン１２４ａ及びインク供給ライン１２４ｂを含むことができる。前記パージガス供給ライン１２４ａは前記貯蔵部１２２に所定のパージガス１０を供給することができる。前記パージガス１０には窒素ガス（Ｎ２  ｇａｓ）及びその他の多様な種類の不活性ガスが用いられることができる。このようなパージガス１０は前記貯蔵部１２２内の圧力を既設定された圧力に維持させるために提供されることができる。そして、前記インク供給ライン１２４ｂは前記貯蔵部１２２に前記インク２０を供給する溶液供給ライン（ｓｏｌｕｔｉｏｎ  ｓｕｐｐｌｙ  ｌｉｎｅ）であることができる。ここで、前記インク供給ライン１２４ｂは、前記貯蔵部１２２内の前記インク２０が既設定された水位を満足するように、自動的に前記インク２０を前記貯蔵部１２２に補充させることができる。
【００２９】
前記撹拌部１２６は前記貯蔵部１２２内の前記インク２０を撹拌させることができる。例えば、前記撹拌部１２６は、回転軸１２６ａ及び前記回転軸１２６ａに結合されたブレード１２６ｂを含むことができる。前記回転軸１２６ａは左右に水平に配置されることができる。そして、前記ブレード１２６ｂは前記回転軸１２６ａから放射状に延長された構造を有することができる。上述のような回転軸１２６ａ及び前記ブレード１２６ｂは、略水車構造（ｗａｔｅｒｍｉｌｌ  ｓｔｒｕｃｔｕｅ）をなすことができる。
【００３０】
前記回転軸１２６ａは前記パージガス１０及び前記インク２０の供給方向と略垂直の方向に配置されることができる。これに加えて、前記ブレード１２６ｂは、その面が前記貯蔵部１２２の内部に吐出される前記パージガス１０及び前記インク２０の吐出領域に対向されるように備えられることができる。この際、前記ブレード１２６ｂは前記回転軸１２６ａを基準に、一側で前記パージガス供給ライン１２４ａによって供給される前記パージガス１０の供給領域と対向されるように配置され、他側で前記インク供給ライン１２４ｂによって供給される前記インク２０の供給領域と対向されるように配置されることができる。これにより、前記ブレード１２６ｂは前記貯蔵部１２２に供給される前記パージガス１０及び前記インク２０と衝突され、前記回転軸１２６ａによって回転されるように構成されることができる。
【００３１】
次に、本発明の実施形態による溶液貯蔵タンクのインク撹拌原理を具体的に説明する。ここで、上述のインクジェットプリンターヘッド１００に対して重複される内容は省略または簡素化されることができる。
【００３２】
図２及び図３は、図１に図示された溶液貯蔵タンクの撹拌原理を説明するための図面である。より具体的には、図２はパージガスによってインクが撹拌される様子を示す図面であり、図３はインクによってインクが撹拌される様子を示す図面である。
【００３３】
図２を参照すると、インクジェットプリンターヘッドアセンブリ１００は、ノズルパッケージ１１０を介してインクタンクパッケージ１２０に貯蔵されたインク２０を印刷対象物（未図示）に吐出させることができる。このために、前記インクタンクパッケージ１２０の貯蔵部１２２は、パージガス供給ライン１２４ａによって供給されるパージガス１０により、前記貯蔵部１２２の内部圧力が既設定された圧力に維持されることができる。このように、前記貯蔵部１２２の貯蔵空間１２３の圧力が一定に維持されることにより、前記インク２０の吐出量及び吐出精密性などが制御されることができる。
【００３４】
一方、上述のように前記貯蔵部１２２内の圧力が調節される過程で、前記インク２０の撹拌が遂行されることができる。例えば、前記パージガス供給ライン１２４ａによって供給される前記パージガス１０は、前記回転軸１２６ａを基準に、前記回転軸１２６ａの一側に位置されるブレード１２６ｂに向けて吐出されることができる。このために、前記パージガス供給ライン１２４ａは、前記回転軸１２６ａの一側に位置されるブレード１２６ｂの面に向けて前記パージガス１０が供給されるように、前記貯蔵部１２２の上部に備えられることができる。これにより、前記パージガス１０の供給によって前記撹拌部１２６が第１方向３０に回転されることにより、前記インク２０が撹拌されることができる。
【００３５】
図３を参照すると、上述のようなインク２０の供給過程で、貯蔵部１２２内のインク２０の水位が既設定された水位より低くなる場合、インクジェットプリンターヘッドアセンブリ１００はインクタンクパッケージ１２０内のインク２０を補充させることができる。このために、流体供給部１２４のインク供給ライン１２４ｂは前記貯蔵部１２２内部に前記インク２０を供給することができる。前記インク２０の補充動作は、前記インクジェットプリンターヘッドアセンブリ１００のインク供給を中断させた状態で遂行されることができる。これにより、前記貯蔵部１２２の内部には前記インク２０が満たされることができる。前記インク２０が既設定された水位に満たされると、前記インクジェットプリンターヘッドアセンブリ１００のインク供給が開始されることができる。
【００３６】
一方、上述のように前記貯蔵部１２２内の前記インク２０が満たされる過程で、前記インク２０の撹拌が遂行されることができる。例えば、前記インク供給ライン１２４ｂによって供給される前記インク２０は、前記回転軸１２６ａを基準に、前記回転軸１２６ａの他側に位置されるブレード１２６ｂに向けて供給されることができる。このために、前記インク供給ライン１２４ｂは、前記回転軸１２６ａの他側に位置されるブレード１２６ｂの面に向けて前記インク２０が供給されるように、前記貯蔵部１２２の上部に備えられることができる。これにより、前記インク２０の供給によって、前記撹拌部１２６は上述のパージガス１０による前記撹拌部１２６の第１回転方向３０とは反対となる第２方向４０に回転されることにより、前記インク２０が撹拌されることができる。
【００３７】
上述したように、本発明の実施形態によるインクジェットプリンターヘッドアセンブリ１００は、ノズルパッケージ１１０及びインクタンクパッケージ１２０を備え、前記インクタンクパッケージ１２０は、貯蔵部１２２にパージガス１０及びインク２０を供給する流体供給部１２４によって前記貯蔵部１２２内のインク２０が撹拌される構造を有することができる。これにより、本発明によるインクジェットプリンターヘッドアセンブリは、モーターのような振動発生源を備えなくても、無振動方式で前記貯蔵部１２２内のインク２０を撹拌させることができるため、前記インク２０の効率的な撹拌を遂行することができるとともに、前記インク２０の撹拌動作による前記インク２０の吐出精密性が低下することを防止することができる。
【００３８】
以下、上述したインクジェットプリンターヘッドアセンブリに備えられるインクタンクパッケージの変形例に対して詳細に説明する。ここで、図１から図３を参照して上述したインクタンクパッケージ１２０に対して重複される内容は省略する。
【００３９】
図４は本発明の一変形例によるインクタンクパッケージを示す図面である。図４を参照すると、本発明の一変形例によるインクタンクパッケージ１２０ａは、図１から図３を参照して上述したインクタンクパッケージ１２０に比べて、水平構造を有する撹拌機１２７を備えることができる。
【００４０】
例えば、前記撹拌機１２７は、貯蔵部１２２に上下に垂直に配置される回転軸１２７ａ及び前記回転軸１２７ａから側方向に延長されたブレード１２７ｂを備えることができる。前記回転軸１２７ａは、パージガス供給ライン１２４ａによって供給されるパージガス１０の供給部分とインク供給ライン１２４ｂによって供給されるインク２０の供給部分の間に位置されることができる。前記ブレード１２７ｂは、前記回転軸１２７ａから斜めの方向に延長されるように前記回転軸１２７ａに結合されることができる。これにより、前記ブレード１２７ｂの面は、前記貯蔵部１２２に供給される前記パージガス１０及び前記インク２０と斜めの方向に衝突されるように備えられることができる。
【００４１】
上述のような構造のインクタンクパッケージ１２０ａは、上述の図１から図３に図示された第１及び第２方向３０、４０に比べて、垂直の水平方向５０に回転される撹拌機１２７を備え、前記撹拌機１２７が前記流体供給部１２４によって回転されるように構成されることができる。
【００４２】
図５は本発明の他の変形例によるインクタンクパッケージを示す図面である。図５を参照すると、本発明の他の変形例によるインクタンクパッケージ１２０ｂは、図１から図３を参照して上述したインクタンクパッケージ１２０に比べて、撹拌機１２６の回転軸１２６ａを基準に同一の位置のブレード１２６ｂに向けてパージガス１０及びインク２０を供給させる構造の流体供給部１２４を備えることができる。
【００４３】
例えば、前記流体供給部１２４は、パージガス供給ライン１２４ａ及びインク供給ライン１２４ｂを含むことができる。前記パージガス供給ライン１２４ａは、前記回転軸１２６ａの一側に位置される前記ブレード１２６ｂに向けてパージガス１０が供給されるように、前記貯蔵部１２２に連結されることができる。同一の方式で、前記インク供給ライン１２４ｂは前記回転軸１２６ａの一側に位置される前記ブレード１２６ｂに向けてインク２０が供給されるように、前記貯蔵部１２２に連結されることができる。これにより、前記流体供給部１２４のパージガス１０及びインク２０の供給によって、前記撹拌機１２６が第１方向３０に回転されるように構成されることができる。
【００４４】
以上の詳細な説明は本発明を例示するものである。また、上述の内容は本発明の好ましい実施形態を示して説明するものに過ぎず、本発明は多様な他の組合、変更及び環境で用いることができる。即ち、本明細書に開示された発明の概念の範囲、述べた開示内容と均等な範囲及び／または当業界の技術または知識の範囲内で変更または修正が可能である。上述の実施形態は本発明を実施するにおいて最善の状態を説明するためのものであり、本発明のような他の発明を用いるにおいて当業界に公知された他の状態での実施、そして発明の具体的な適用分野及び用途で要求される多様な変更も可能である。従って、以上の発明の詳細な説明は開示された実施状態に本発明を制限しようとする意図ではない。また、添付された請求範囲は他の実施状態も含むと解釈されるべきであろう。
【符号の説明】
【００４５】
１００  インクジェットプリンターヘッドアセンブリ
１１０  ノズルパッケージ
１１２  多層プレート構造体
１１４  アクチュエーター
１１６  ノズルプレート
１２０  インクタンクパッケージ
１２２  貯蔵部
１２３  貯蔵空間
１２４  流体供給部
１２４ａ  パージガス供給ライン
１２４ｂ  インク供給ライン
１２６  撹拌部
１２６ａ  回転軸
１２６ｂ  ブレード
【図１】
2012051358.tif 000003
【図２】
2012051358.tif 000004
【図３】
2012051358.tif 000005
【図４】
2012051358.tif 000006
【図５】
2012051358.tif 000007